(57)【要約】【課題】  バルブ又は継手を利用する際に、使用者の所望するバルブ又は継手を正確に且つ迅速に選択することを可能にするバルブ品番又は継手品番選出治具及びバルブ品番又は継手品番選出装置の提供。【解決手段】  基板体と該基板体の表面に沿って摺動する滑り尺とからなり、前記基板体は、複数の前記所定条件が前記滑り尺の摺動方向に沿って記載された所定条件記載部と、複数の前記記号が該摺動方向に沿って記載された記号記載部を有し、これら両記載部に於いて、一の前記所定条件とこれに対する一の前記記号は、前記摺動方向に所定間隔を空けて記載され、前記滑り尺は、前記所定条件記載部上で開口して一の前記所定条件を露出させる条件設定窓と、前記記号記載部上で開口して一の前記記号を露出させる記号選出窓を具備し、前記記号選出窓は、前記条件設定窓から摺動方向へ所定間隔を空けて設けられていることを特徴とする。【選択図】  図１
2005164550.tif 000002
【特許請求の範囲】
【請求項１】
バルブ又は継手の選出に必要な複数の所定条件を選択して、該選択された所定条件に夫々に対応する記号の組み合わせからなるバルブ品番又は継手品番を選出する治具であって、
基板体と該基板体の表面に沿って摺動する滑り尺とからなり、
前記基板体は、複数の前記所定条件が前記滑り尺の摺動方向に沿って記載された所定条件記載部と、複数の前記記号が該摺動方向に沿って記載された記号記載部を有し、
これら両記載部に於いて、一の前記所定条件とこれに対する一の前記記号は、前記摺動方向に所定間隔を空けて記載され、
前記滑り尺は、前記所定条件記載部上で開口して一の前記所定条件を露出させる条件設定窓と、前記記号記載部上で開口して一の前記記号を露出させる記号選出窓を具備し、
前記記号選出窓は、前記条件設定窓から摺動方向へ所定間隔を空けて設けられていることを特徴とするバルブ品番又は継手品番選出治具。
【請求項２】
バルブ又は継手の選出に必要な複数の所定条件を選択して、該選択された所定条件に夫々に対応する記号の組み合わせからなるバルブ品番又は継手品番を選出する治具であって、
基板体と該基板体の表面に沿って摺動する滑り尺とからなり、
前記基板体は、複数の前記所定条件が前記滑り尺の摺動方向に沿って記載された所定条件記載部を有し、
前記滑り尺は、複数の前記記号が前記摺動方向に沿って記載された記号記載部を有し、
前記基板体は、前記所定条件記載部から所定間隔を空けて設けられる記号選出窓を有し、
前記記号選出窓は、前記記号記載部上で開口して一の前記記号を露出させ、
前記滑り尺は、前記記号記載部から前記所定間隔を空けて設けられる条件設定窓を有し、
前記条件設定窓は、前記所定条件記載部上で開口して一の前記所定条件を露出させることを特徴とするバルブ品番又は継手品番選出治具。
【請求項３】
バルブ又は継手の選出に必要な複数の所定条件を選択して、該選択された所定条件に夫々に対応する記号の組み合わせからなるバルブ品番又は継手品番を選出する治具であって、
基板体と該基板体の表面に沿って摺動する滑り尺とからなり、
前記基板体は、複数の前記記号が摺動方向に沿って記載される記号記載部を有し、
前記滑り尺は、複数の前記所定条件が前記滑り尺の摺動方向に沿って記載される所定条件記載部を有し、
前記基板体は、前記記号記載部から所定間隔を空けて設けられる条件設定窓を有し、
前記条件設定窓は、前記所定条件記載部上で開口して一の前記所定条件を露出させ、
前記滑り尺は、前記所定条件記載部から前記所定間隔を空けて設けられる記号選出窓を有し、
前記記号選出窓は、前記記号記載部上で開口して一の前記記号を露出させることを特徴とするバルブ品番又は継手品番選出治具。
【請求項４】
前記基板体が長方形状を有し、前記滑り尺が該基板体の長手方向に沿って摺動することを特徴とする請求項１乃至３いずれかに記載のバルブ品番又は継手品番選出治具。
【請求項５】
前記基板体が長方形状を有し、複数の前記滑り尺が該基板体の長手方向に沿って摺動し、
前記複数の滑り尺が前記基板体の短手方向に並んで配置され、
前記記号選出窓が、前記短手方向に一列に並んで配置されることを特徴とする請求項２記載のバルブ品番又は継手品番選出治具。
【請求項６】
前記基板体と前記滑り尺が略円形状を有し、
前記滑り尺が、該基板体と同心に配置されるとともに該基板体の周方向に沿って摺動することを特徴とする請求項１乃至３いずれかに記載のバルブ品番又は継手品番選出治具。
【請求項７】
前記基板体と前記滑り尺が略円形状を有するとともに、該基板体と同心に配置され、
複数の前記滑り尺が前記基板体と同心に重層するとともに、該基板体の周方向に沿って摺動し、
前記記号選出窓が該基板体の中心から直径に沿って外側方向へ並んで配置されていることを特徴とする請求項２記載のバルブ品番又は継手品番選出治具。
【請求項８】
前記基板体の端縁に、所定のバルブ又は継手の外径と同じ直径を有する半円形状の切欠き部が１又は複数設けられていることを特徴とする請求項４記載のバルブ品番又は継手品番選出治具。
【請求項９】
前記基板体の端縁に、異なる厚みを有する隙間ゲージが設けられていることを特徴とする請求項４又は８に記載のバルブ品番又は継手品番選出治具。
【請求項１０】
バルブ又は継手を選出するための所定条件が入力され、この所定条件に対応するバルブ品番又は継手品番を選出して表示する装置であって、
所定条件に対応するバルブ品番又は継手品番を格納する保存手段と、
バルブ品番又は継手品番を選出するための所定条件を入力する入力手段と、
前記入力手段によって入力された所定条件に対応するバルブ品番又は継手品番を前記保存手段より選択する選択手段と、
前記選択手段で選択されたバルブ品番又は継手品番を表示する表示手段とからなることを特徴とするバルブ品番又は継手品番選出装置。
【発明の詳細な説明】
【技術分野】
【０００１】
本発明は、バルブ品番又は継手品番選出治具及びバルブ品番又は継手品番選出装置に関し、より詳しくは、バルブ又は継手を利用する際に、使用者の所望するバルブ又は継手を正確に且つ迅速に選択することを可能にするバルブ品番又は継手品番選出治具及びバルブ品番又は継手品番選出装置に関する。
【背景技術】
【０００２】
バルブ（弁）は、管の途中又は管端等に結合され、管内を流れる気体又は液体の入出等の流量を制御する装置として利用されている。又、継手は、２個以上の機械部品を接続して１体とするに用いられる部材である。
特に最近では、バルブの利用される場所やバルブが制御を行う気体や液体等により、夫々に適したバルブが創出されたり、複雑な機構や形状を有する機械部品を接続するために各機構や形状に合わせた継手が創出されたりし、多種多様なバルブや継手が存在している。
しかしながら、多種多様なバルブ又は継手が創出されることによって、バルブ又は継手を利用する利用者は、最も適切で効果的なバルブ又は継手を選択することができる一方で、利用者がバルブ又は継手製造業者にこの所望するバルブ又は継手の注文を行う際には、利用者の所望するバルブ又は継手が有するバルブ品番又は継手品番で注文する必要があり、これらバルブ品番又は継手品番を効率よく選出することができなかった。例えば、利用者が所望するバルブを選択することができても、実際に所望するバルブを注文するためには、膨大なカタログ等から所望するバルブ品番を検索し、所望するバルブのバルブ品番を選出しなければならなかった。このため、使用するバルブが決まっても、バルブ品番を選出するために手間暇を必要としていた。
このような問題点を解決するために、現場等に於いて迅速に且つ手際よくバルブ品番又は継手品番を選出することのできる治具が必要とされていた。
又、従来技術に於いて、利用者が所定の条件を設定することによって、所望する情報を引き出すことのできる計算尺が創出されている。例えば、特許文献１に於いて、外貨換算及び通貨換算を簡便、迅速にしかも良好な操作性で行うことのでき、且つ世界の時刻又は時差を簡単に良好な操作性で知ることのできる計算尺が存在している（特許文献１参照）。
しかしながら、多種多様なバルブ又は継手の中から使用者の所望するバルブ品番又は継手品番を正確に且つ迅速に選択することを可能にするバルブ品番又は継手品番選出治具やバルブ品番又は継手品番選出装置は存在しなかった。
【０００３】
【特許文献１】特開平１０−２１３１３号公報
【発明の開示】
【発明が解決しようとする課題】
【０００４】
本発明は、このような実情に鑑みてなされたもので、多種多様なバルブ又は継手の中から使用者の所望するバルブ又は継手を正確に且つ迅速に選択することを可能にするとともに、使用及び携帯するに於いて非常に容易性の高いバルブ品番又は継手品番選出治具及びバルブ品番又は継手品番選出装置を提供する。
【課題を解決するための手段】
【０００５】
請求項１記載の発明は、バルブ又は継手の選出に必要な複数の所定条件を選択して、該選択された所定条件に夫々に対応する記号の組み合わせからなるバルブ品番又は継手品番を選出する治具であって、基板体と該基板体の表面に沿って摺動する滑り尺とからなり、前記基板体は、複数の前記所定条件が前記滑り尺の摺動方向に沿って記載された所定条件記載部と、複数の前記記号が該摺動方向に沿って記載された記号記載部を有し、これら両記載部に於いて、一の前記所定条件とこれに対する一の前記記号は、前記摺動方向に所定間隔を空けて記載され、前記滑り尺は、前記所定条件記載部上で開口して一の前記所定条件を露出させる条件設定窓と、前記記号記載部上で開口して一の前記記号を露出させる記号選出窓を具備し、前記記号選出窓は、前記条件設定窓から摺動方向へ所定間隔を空けて設けられていることを特徴とするバルブ品番又は継手品番選出治具を提供する。
請求項２記載の発明は、バルブ又は継手の選出に必要な複数の所定条件を選択して、該選択された所定条件に夫々に対応する記号の組み合わせからなるバルブ品番又は継手品番を選出する治具であって、基板体と該基板体の表面に沿って摺動する滑り尺とからなり、前記基板体は、複数の前記所定条件が前記滑り尺の摺動方向に沿って記載された所定条件記載部を有し、前記滑り尺は、複数の前記記号が前記摺動方向に沿って記載された記号記載部を有し、前記基板体は、前記所定条件記載部から所定間隔を空けて設けられる記号選出窓を有し、前記記号選出窓は、前記記号記載部上で開口して一の前記記号を露出させ、前記滑り尺は、前記記号記載部から前記所定間隔を空けて設けられる条件設定窓を有し、前記条件設定窓は、前記所定条件記載部上で開口して一の前記所定条件を露出させることを特徴とするバルブ品番又は継手品番選出治具を提供する。
請求項３記載の発明は、バルブ又は継手の選出に必要な複数の所定条件を選択して、該選択された所定条件に夫々に対応する記号の組み合わせからなるバルブ品番又は継手品番を選出する治具であって、基板体と該基板体の表面に沿って摺動する滑り尺とからなり、前記基板体は、複数の前記記号が摺動方向に沿って記載される記号記載部を有し、前記滑り尺は、複数の前記所定条件が前記滑り尺の摺動方向に沿って記載される所定条件記載部を有し、前記基板体は、前記記号記載部から所定間隔を空けて設けられる条件設定窓を有し、前記条件設定窓は、前記所定条件記載部上で開口して一の前記所定条件を露出させ、前記滑り尺は、前記所定条件記載部から前記所定間隔を空けて設けられる記号選出窓を有し、前記記号選出窓は、前記記号記載部上で開口して一の前記記号を露出させることを特徴とするバルブ品番又は継手品番選出治具を提供する。
請求項４記載の発明は、前記基板体が長方形状を有し、前記滑り尺が該基板体の長手方向に沿って摺動することを特徴とする請求項１乃至３いずれかに記載のバルブ品番又は継手品番選出治具を提供する。
請求項５記載の発明は、前記基板体が長方形状を有し、複数の前記滑り尺が該基板体の長手方向に沿って摺動し、前記複数の滑り尺が前記基板体の短手方向に並んで配置され、前記記号選出窓が、前記短手方向に一列に並んで配置されることを特徴とする請求項２記載のバルブ品番又は継手品番選出治具を提供する。
請求項６前記基板体と前記滑り尺が略円形状を有し、前記滑り尺が、該基板体と同心に配置されるとともに該基板体の周方向に沿って摺動することを特徴とする請求項１乃至３いずれかに記載のバルブ品番又は継手品番選出治具を提供する。
請求項７記載の発明は、前記基板体と前記滑り尺が略円形状を有するとともに、該基板体と同心に配置され、複数の前記滑り尺が前記基板体と同心に重層するとともに、該基板体の周方向に沿って摺動し、前記記号選出窓が該基板体の中心から直径に沿って外側方向へ並んで配置されていることを特徴とする請求項２記載のバルブ品番又は継手品番選出治具を提供する。
請求項８記載の発明は、前記基板体の端縁に、所定のバルブ又は継手の外径と同じ直径を有する半円形状の切欠き部が１又は複数設けられていることを特徴とする請求項４記載のバルブ品番又は継手品番選出治具を提供する。
請求項９記載の発明は、前記基板体の端縁に、異なる厚みを有する隙間ゲージが設けられていることを特徴とする請求項４又は８に記載のバルブ品番又は継手品番選出治具を提供する。
請求項１０記載の発明は、バルブ又は継手を選出するための所定条件が入力され、この所定条件に対応するバルブ品番又は継手品番を選出して表示する装置であって、所定条件に対応するバルブ品番又は継手品番を格納する保存手段と、バルブ品番又は継手品番を選出するための所定条件を入力する入力手段と、前記入力手段によって入力された所定条件に対応するバルブ品番又は継手品番を前記保存手段より選択する選択手段と、前記選択手段で選択されたバルブ品番又は継手品番を表示する表示手段とからなることを特徴とするバルブ品番又は継手品番選出装置を提供する。
これらの発明を提供することによって、上記問題を悉く解決する。
【発明の効果】
【０００６】
請求項１乃至３記載の発明によって、現場等の作業場に於いて、多種多様なバルブ又は継手の中から使用者の所望するバルブ又は継手を正確に且つ迅速に選択することを可能にするバルブ品番又は継手品番選出治具を提供することができる。
請求項４記載の発明によって、バルブ品番又は継手品番選出治具が長方形の形状を有することで、この治具を使用すること及び携帯することを容易にすることができるバルブ品番又は継手品番選出治具を提供することができる。
請求項５記載の発明によって、バルブ品番又は継手品番選出治具が長方形の形状を有し、記号選出窓が短手方向に一列に配置されることで、この治具を使用すること及び携帯することを容易にすることができ、更に、バルブ品番又は継手品番を見易く表示することができるバルブ品番又は継手品番選出治具を提供することができる。
【０００７】
請求項６記載の発明によって、バルブ品番又は継手品番選出治具が略円形の形状を有することで、治具を使用すること及び携帯することを容易にすることができるバルブ品番又は継手品番選出治具を提供することができる。
請求項７記載の発明によって、バルブ品番又は継手品番選出治具が略円形の形状を有し、記号選出窓が基板体の中心から直径に沿って外側方向へ並んで配置されていることで、この治具を使用すること及び携帯することを容易にすることができ、更に、バルブ品番又は継手品番を見易く表示することができるバルブ品番又は継手品番選出治具を提供することができる。
請求項８記載の発明によって、バルブ又は継手の直径を計測することができるバルブ品番又は継手品番選出治具を提供することができる。
請求項９記載の発明によって、異なる厚みを有する隙間ゲージが設けられることによって、隙間の厚さを測定することのできるバルブ品番又は継手品番選出治具を提供することができる。
【０００８】
請求項１０記載の発明によって、多種多様なバルブ又は継手の中から使用者の所望するバルブ又は継手を正確に且つ迅速に選択することを可能にするバルブ品番又は継手品番選出装置を提供することができる。
【発明を実施するための最良の形態】
【０００９】
本発明を実施するための最良の形態を説明する。
尚、第１実施例乃至第５実施例は、継手品番を選出する治具及び装置に関し、第６実施例はバルブ品番を選出する治具に関する。
本発明に係る第１実施例である継手品番選出治具（１）の構成を図面を参照しつつ説明する。
図１は、第１実施例である継手品番選出治具を示す平面図であり、図２は、第１実施例に於ける基板体と１つの滑り尺の関係を示す基板体の短手方向に沿った断面図であり、（ａ）は条件設定窓又は記号選出窓の部分であり、（ｂ）は条件設定窓及び記号選出窓が無い部分を示し、図３は継手品番と記号の関係を示す図であり、図４は第１実施例を構成する滑り尺及び基板体の平面図であり、（ａ）は滑り尺を示し、（ｂ）は基板体を示す。
尚、本明細書中の「継手品番」と言う文言は、継手製造業者等の当業者が継手に対して設定した継手を識別するための番号のことを指し示す。
又、「条件項目」と言う文言は、継手品番を設定するにあたって、当業者が設定した条件を指し示す。例えば、図３では、継手品番を構成するために、「材質」、「継手のタイプ」、「継手の種類」、「継手の形状」、「チューブ外径」と「ネジサイズ」の６項目の条件項目から構成されている。この条件項目は、継手の用途や種類に応じて適宜設定される。
本明細書中の「所定条件」と言う文言は、前記「条件項目」に於いて実際に使用者が選択する条件であり、この「所定条件」が複数集まって「条件項目」を構成している。例えば、「条件項目」として「材質」が選択されると、「所定条件」は「ステンレス」「黄銅」「アルミニウム」等が設けられている。
又、上記する「継手品番」は、複数の「記号」の組み合わせから構成されている。この「記号」は、ひらがな、カタカナ、アルファベット、数字等からなり、前記「所定条件」と一対一で対応している。例えば、「所定条件」を「黄銅」とすると、この「黄銅」と言う所定条件に対して、「記号」である「Ｐ」が選択される。尚、この「記号」に設定される記号は、「所定条件」に対して一対一に対応するように、使用者が適宜選択して設定すれば構わない。
例えば、図３で示す如く、継手品番（甲）を構成する各要素が記号（乙）である。この図３では、「条件項目」として、左から「材質」、「継手のタイプ」、「継手の種類」、「継手の形状」、「チューブ外径」と「ネジサイズ」が示されており、これら「条件項目」毎に「所定条件」が選択され、この「所定条件」に対応する「記号（乙）」が示される。
【００１０】
第１実施例の継手品番選出治具（１）は、滑り尺（１１）と、基板体（１２）から構成されている。
この基板体（１２）は板状であり、この基板体（１２）の外形は、特に限定されるものではなく、円形状や四角形状等が考えられる。第１実施例の治具（１）の基板体（１２）は、長方形状を有している。
滑り尺（１１）の形状は、特に限定されず、基板体（１２）の形状と継手品番を構成する記号の数によって設定される。例えば、基板体（１２）が長方形状で、継手品番が６つの記号で構成されていれば、滑り尺（１１）は、この基板体（１２）の長手方向に摺動する長さを有するとともに、基板体（１２）の短手方向に並んで６つ設けられるように、滑り尺（１１）の幅が設定される（図１参照）。
この滑り尺（１１）が基板体（１２）の長手方向に沿って表面上を確実に摺動するために、図２で示す如く、被覆体（１３）が設けられている。この被覆体（１３）を設けることによって、滑り尺（１１）が基板体（１２）から外れないように摺動させることができる。
この被覆体（１３）は、基板体（１２）と同じ外形を有するとともに、後述する所定条件が記載された所定条件記載部（１５）と記号が記載された記号記載部（１６）が隠されず、使用者に見えるように孔部（１４）が設けられている。尚、第１実施例では、図２で示される如く、滑り尺（１１）の断面と略同じ又は大きい断面を有する空洞（１４ａ）がこの被覆体（１３）と基板体（１２）によって設けられ、滑り尺（１１）がこの空洞部（１４ａ）内を摺動する。又、孔部（１４）の幅は、この滑り尺（１１）幅よりも短くなるように設けられている（図２参照）。
尚、この被覆体（１３）は、滑り尺（１１）を基板体（１２）上を摺動させるとともに基板体（１２）上に記載される所定条件記載部（１５）と記号記載部（１６）が見えるように設けられれば構わない。
【００１１】
基板体（１２）は、複数の所定条件が摺動方向に沿って記載される所定条件記載部（１５）と、複数の記号が所定条件から摺動方向に所定間隔（Ｄ）を空けて記載される記号記載部（１６）を有している（図４参照）。
例えば、図４（ｂ）で示す如く、所定条件（Ａ１）に対応する記号（ａ１）は、所定条件（Ａ１）から摺動方向に（図４（ａ）では右方向）所定間隔（Ｄ）を隔てて記載されている。尚、図４（ｂ）では、複数の所定条件（Ａ１、Ａ２、Ａ３、・・・、Ｂ１、・・・、Ｃ１、・・・）がそれぞれ複数の記号（ａ１，ａ２、ａ３、・・・、ｂ１、・・・、ｃ１・・・）に対応して示されており、被覆体（１４）は示されていない。尚、以下の記述に於いて、説明の都合上、複数の所定条件（Ａ１、Ａ２、Ａ３、・・・、Ｂ１、・・・、Ｃ１、・・・）は、それぞれ複数の記号（ａ１，ａ２、ａ３、・・・、ｂ１、・・・、ｃ１・・・）に対応している。
図４（ｂ）に於いて、左に所定条件記載部（１５）が記載され、右に記号記載部（１６）が設けられているが、右に所定条件記載部（１５）を記載し、左に記号記載部（１６）が設けられても構わない。
上記した条件設定窓（１１Ａ）と記号選出窓（１１Ｂ）の所定間隔（Ｄ）と、所定条件と記号の所定間隔（Ｄ）は同じである。
【００１２】
図４（ａ）で示される滑り尺（１１）は、所定条件記載部（１５）上で開口して一の所定条件を露出させる条件設定窓（１１Ａ）と、記号記載部（１６）上で開口して一の記号を露出させる記号選出窓（１１Ｂ）を具備している。この条件設定窓（１１Ａ）と記号選出窓（１１Ｂ）は、摺動方向へ所定間隔（Ｄ）を空けて設けられている。
この条件設定窓（１１Ａ）の形状は、基板体（１２）に記載される所定条件記載部（１５）の一の所定条件を囲むことができる形状であり、記号選出窓（１１Ｂ）の形状は、基板体（１２）に記載される記号記載部（１６）の一の記号を囲む形状である。
尚、後述する条件設定窓及び記号選出窓は、それぞれ一の所定条件及び記号を露出し表示することができれば、これらの窓の形状は限定されない。
【００１３】
基板体（１２）の長手方向の端部には、図１で示す如く、所定の配管の外径と同じ直径を有する半円形状の切欠き部（１７）が４つ設けられている。この切欠き部（１７）の大きさは、特に限定されないが、日本工業規格（JIS）に沿った配管の外径である。また、この切欠き部（１７）が設けられる数は、特に限定されるものでは無く、３つ以下でも良いし、５つ以上でも構わず、適宜設定すればよい。この切欠き部（１７）を設けることによって、複数の配管の外径を計測することができる。
又、この切欠き部（１７）を形成する部材（１８）は、異なる所定の厚さの部分から作成されている。例えば、図１で示される切欠き部（１７）を形成する部材（１８）はそれぞれ厚さの異なる部分（１８ａ、１８ｂ、１８ｃ）で作成されている。この切欠き部（１７）を作成する部分が所定の異なる厚さを有することによって、この切欠き部（１７）を隙間ゲージとして利用することが可能になるからである。図１で示される場合であれば、異なる厚さの部分が３種類有るので、３種類の隙間を計測することができる。
図５は、切欠き部を有する部材の他の実施例を示し、（ａ）は平面図であり、（ｂ）は図５（ａ）の右側から見た側面図である。他の部材（１９）は、基板体（１２）の長手方向端部に設けられている。この部材（１９）は、図５（ａ）で示される如く、基板体（１２）の長辺の延長上にある部材（１９）の側面に於いて、略長方形状の切欠き部である第１切欠き部（１７ａ）が設けられている。この第１切欠き部（１７ａ）内には、更に、略半円形状の第２切欠き部（１７ｂ）が設けられている。この第１切欠き部（１７ａ）の長辺の長さ（ｌ１）は、第２切欠き部（１７ｂ）が内側に設けられるために、第２切欠き部（１７ｂ）の直径（ｌ２）の長さよりも長く設けられている。
又、対向する側面に於いても、略長方形状の切欠き部である第３切欠き部（１７ｃ）と、この第３切欠き部（１７ｃ）の内側に設けられる略半円形状の切欠き部である第４切欠き部（１７ｄ）が設けられている。この第３切欠き部（１７ｃ）の長辺の長さ（ｌ３）は、第４切欠き部（１７ｄ）の直径の長さ（ｌ４）よりも長く設けられている。尚、これらの切欠き部を効率良く使用するためにも（ｌ１）乃至（ｌ４）の長さは、異なる長さを有している。尚、これらの長さ（ｌ１乃至ｌ４）は、管の外径を測定することができ、JISに沿った長さに設けられる。
この部材（１９）は、異なる厚さを有する部分である第１部分（１９１）及び第２部分（１９２）から構成されている。第１及び第２部分（１９１、１９２）の夫々の厚み（ｔ１、ｔ２）は、特に限定されないが、夫々の部分（１９１，１９２）に設けられる略半円形状の切欠き部（１７ｂ、１７ｄ）の直径の長さ（ｌ２、ｌ４）に沿って設けられることが好ましい。例えば、この長さ（１２又は１４）が、11.1ｍｍ、12.8ｍｍ、14.3ｍｍに設定されていれば、厚み（ｔ１又はｔ２）は、3.6ｍｍに設けられ、長さ（１２又は１４）が、16ｍｍ、19.2ｍｍに設けられる際には、厚み（ｔ１又はｔ２）は3.1ｍｍに設けられることが好ましい。
基板体（１２）の端縁に沿って、長さを計測する定規が設けられることが好ましい。この端縁に定規が設けられることによって、配管等の計測を行うことができるからである。
【００１４】
滑り尺（１１）が基板体（１２）に設けられる際には、継手品番を構成する記号順に、滑り尺（１１）が基板体（１２）の短手方向に沿って並んで設けられることが好ましい。基板体（１２）の短手方向に沿って継手品番を構成する記号順に並んで設けられることによって、所定条件を設定した際には自動的に、継手品番が表示されることになるからである。
【００１５】
第１実施例の治具（１）の動作について説明する。
継手によって、継手品番を構成する条件項目が異なるが、例えば、継手品番を構成する条件項目が「材質」、「継手のタイプ」、「チューブサイズ」、「ネジサイズ」と「ネジ規格」から構成され、更に、条件項目を構成する所定条件が、条件項目「材質」に対して所定条件「ステンレス」と「黄銅」、条件項目「継手タイプ」に対して所定条件「クロス」、「エルボ」、「チーズ」、「ストレート」、「ハーフ」、「ゲージ」、条件項目「チューブサイズ」に対して所定条件「3mm」、「3.2inch」、「4mm」「6mm」・・・（JISに沿って適宜に設定される）、条件項目「ネジサイズ」に対して所定条件「1/8」、「1/4」、「3/8」、「1/2」、・・・（JISに沿って適宜に設定される）、条件項目「ネジ規格」に対して「PT」、「NPT」、「PF」から構成されている。
使用者は、上記するそれぞれの所定条件に合うように条件選出窓（１１Ａ）を摺動させる。例えば、図１で示す如く、条件項目である「材質」を所定条件である「黄銅」に設定する際には、条件選出窓（１１Ａ）から「黄銅」が表示されるように滑り尺（１１）を摺動させる。この時、記号選出窓（１１Ｂ）には所定条件に応じた記号が表示されていることになる。
使用者によって、滑り尺（１１）を摺動させて条件項目の所定条件が適宜設定されると、所定条件に対応する記号が記号選出窓（１１Ｂ）から夫々表示され、図１で示す場合では、記号選出窓（１１Ｂ）を短手方向の上から下方向に記号を並べることによって、継手品番が表示され、使用者の所望する継手品番を得ることができる。尚、図１では、所定条件「黄銅」、「ハーフ」、「10mm」、「1/2」、「NPT」に対応する記号「D」、「H」、「10」、「D」、「N」が選出され表示されている。
尚、表１は、所定条件（材料・形状・チューブサイズ・ネジサイズ・ネジ規格）に対応する記号に設定される一実施例を示す。例えば、所定条件「材質」に於いて、ステンレス鋼が選択されると、記号は「U」が対応し、ネジサイズ「３／８B」が選択されると、記号「C」が対応するように設定されている。
【００１６】
【表１】
2005164550.tif 000003
以上が第１実施例の治具（１）の説明である。
【００１７】
次に基板体（１２）が板状で略円形状の形状を有する第２実施例の継手品番選出治具（２）を説明する。
図６は、第２実施例の治具の平面図であり、図７は第２実施例に於いて滑り尺が取り除かれた場合を示す。
第２実施例（２）は、滑り尺（２１）と複数の基板体（２２）から構成され、複数の基板体（２２）が同心に重層され（図７参照）、一番上にこの滑り尺（２１）が載置されている。尚、重層される複数の基板体（２２）は、上層部に従って直径が小さくなるように設けられている。尚、この基板体（２１）は、条件項目毎に作成され、この条件項目を構成する所定条件及びこの所定条件に対応する記号が同一基板体（２１）上に記載されている。
【００１８】
この第２実施例の治具（２）の滑り尺（２１）は、最下層に配置される基板体（２２）と同じ形状で同じ大きさを有している。この滑り尺（２１）は、上述した条件設定窓（２１Ａ）と記号選出窓（２１Ｂ）が設けられている。
この条件設定窓（２１Ａ）と記号選出窓（２１Ｂ）は、第１実施例の治具（１）と同じく所定間隔を空けて設けられている。この第２実施例の治具（２）に於いて所定間隔とは、条件設定窓（２１Ａ）とこの条件設定窓（２１Ａ）に対応する記号選出窓（２１Ｂ）が同一半径の円周上に設けられていることから、この円の条件設定窓（２１Ａ）から記号選出窓（２１Ｂ）までの弧の長さとなる。尚、図６に於いて、この所定間隔である弧の長さは、条件設定窓又は記号選出窓と中心（０）を結び半径とする円周の半分の長さである。
尚、記号選出窓（２１Ｂ）が表示する記号は、継手品番を構成するように中心（０）から外側に向かって順番に滑り尺（２１）の半径上に並んで配置されている。
【００１９】
第２実施例の治具（２）に於ける基板体（２２）は、図７で示す如く、下方に従って半径が大きくなるように設けられている。
この基板体（２２）は、複数の所定条件が摺動方向に沿って記載される所定条件記載部（２５）と、複数の記号が所定条件から摺動方向に所定間隔を空けて記載される記号記載部（２６）を有している（図７参照）。この所定間隔は、上述する条件設定窓（２１Ａ）及び記号選出窓（２１Ｂ）の所定間隔である。尚、図７のような滑り尺（２１）及び基板体（２２）が略円形状の形状である際には、条件設定窓（２１Ａ）と記号選出窓（２１Ｂ）と円の中心がなす角度と、所定条件と所定条件に対応する記号と中心がなす角度が、全て同一角度である（図７で示される角度は全て１８０度である）。
尚、第１実施例の治具（１）の構成で説明した如く、図７では、この第２実施例（２）の所定条件（Ａ１、Ａ２、Ａ３、・・・、Ｂ１、・・・、Ｃ１、・・・）がそれぞれ記号（ａ１，ａ２、ａ３、・・・、ｂ１、・・・、ｃ１・・・）に対応して表示されている。
【００２０】
この第２実施例の治具（２）の各基板体（２２）には、基板体（２２）の周縁から延設する保持片（２７）が設けられている。この保持片（２７）の形状は、特に限定されず、図７では、細長い長方形状を有している。使用者は、この保持片（２７）を円周方向に移動させることによって、基板体（２２）を容易に摺動させることができる。
以上が第２実施例の治具（２）の構成の説明である。
【００２１】
第２実施例の治具（２）の動作について説明する。
継手によって、継手品番を構成する記号が異なるが、例えば、継手品番が、「材質」、「継手種類」、「チューブタイプ」、「ネジサイズ」と「ネジ規格」の５種類の条件項目から選出される記号から構成されていたとする（図６参照）。
使用者は、上記する条件項目毎に所定条件を設定するために条件選出窓（１１Ａ）を摺動させる。例えば、図６で示す如く、条件項目である「材質」を所定条件「黄銅」に設定する際には、条件選出窓（２１Ａ）から所定条件「黄銅」が表示されるように基板体（２２）を、保持片（２７）を利用して摺動させる。この時、記号選出窓（２１Ｂ）には所定条件に応じた記号（例えば、記号「P」）が表示されていることになる。
使用者によって、条件項目毎に基板体（２２）を摺動させて適宜所定条件が設定されると、この所定条件に対応する記号が夫々に応じて記号選出窓（２１Ｂ）に表示され、図６で示す場合では、記号選出窓（２１Ｂ）が中心から外側に沿って記号を並べることによって、継手品番が表示され、使用者の所望する継手品番を得ることができる。
【００２２】
第３実施例の継手品番選出治具（３）について説明する。
図８は、第３実施例の治具の平面図であり、図９は第３実施例の治具を示し（ａ）は滑り尺の斜視図であり、（ｂ）は基板体の斜視図である。
第３実施例の治具（３）の滑り尺（３１）は、基板体（３２）の表面に沿って摺動する。図８では、滑り尺（３１）が基板体（３２）の短手方向に沿って４つ並んで設けられている。この基板体（３２）に設けられる滑り尺（３１）の数は、特に限定されず、継手品番を構成する記号の数によって決められる。例えば、図８では、継手品番が、「材質」、「継手種類」、「ネジサイズ」と「ネジ規格」の４種類の条件項目から構成され、滑り尺（３１）が４つ設けられている。
この滑り尺（３１）は、基本的な構造は、第１実施例の治具（１）で示される滑り尺（１１）と同じであるが、第３実施例の治具（３）の滑り尺（３１）は番号設定窓を有しておらず、複数の記号が摺動方向に沿って記載される記号記載部（３６）を有していることが異なっている。
この滑り尺（３１）は、図９で示す如く、滑り尺（４１）の上側表面の左側に記号記載部（３６）が設けられ、右側に条件選出窓（３７）を有している。この記号記載部（３６）が右に設けられ、条件設定窓（３７）が左側に設けられても構わない。
この記号記載部（３６）と条件設定窓（３７）の間には、所定間隔（Ｄ）の隔たりがある。この所定間隔（Ｄ）の長さは、特に限定されず、適宜設定されればよいが、後述する基板体（３２）の番号設定窓（３８）と所定条件記載部（３５）との間に設けられる所定間隔と同じにする必要がある。尚、この所定間隔（Ｄ）は、記号記載部（３６）の中心から条件設定窓（３７）の中心の距離であり、又、所定条件記載部（３５）の中心から記号選出窓（３８）の中心の距離である。
図９（ａ）に於いて、この滑り尺（３１）の左端部には、図８の平面図に対して垂直方向に突起する凸部（３９ａ）が設けられている。この凸部（３９ａ）は、後述する基板体（３２）の左端部（図９（ｂ）参照）に設けられる凹部（３９ｂ）と係合する。凸部（３９ａ）及び凹部（３９ｂ）を設けることによって、滑り尺（３１）を摺動させるための把手の役割を担うことができ、更に、滑り尺（３１）を使用しない際に、基板体（３２）内に確実に収納することができる。尚、この凸部（３９ａ）は滑り尺（３１）の右端部に設けられても構わず、この場合、凹部（３９ｂ）は基板体（３２）の右端部に設けられれば構わない。又、この凸部（３９ａ）の形状は、特に限定されず、使用者が利用し易い形状を適宜決めれば構わない。
図９で示される滑り尺（３１）の条件選出窓（３７）は、後述する被覆部（３２ｂ）と同じ厚みを有することが好ましい。条件選出窓（３７）が被覆部（３２ｂ）と同じ厚みを有することで、摺動方向に移動させても、基板体（３２）から外れ出ることを防止することができるからである。
【００２３】
第３実施例の治具（３）に於ける基板体（３２）は、基板部（３２ａ）と被覆部（３２ｂ）から構成される。基板部（３２ａ）は、複数の所定条件が滑り尺（３１）の摺動方向である基板部（３２ａ）の長手方向に沿って記載される所定条件記載部（３５）を有している。この滑り尺（３１）は基板部（３２ａ）上の所定条件記載部（３５）上を摺動することになる。
被覆部（３２ｂ）は、基板部（３２ａ）と同じ形状及び同じ大きさを有し、滑り尺（３１）を摺動可能に且つ基板部（３２ａ）から離れず保持するように、基板部（３２ａ）に当接して一体に設けられている。この被覆部（３２ｂ）は、基板部（３２ａ）に記載される所定条件記載部（３５）が表示されるように孔部（３５ａ）が設けられている。
尚、第３実施例の治具（３）では、第１実施例の治具（１）で示す滑り尺（１１）、基板体（１２）と被覆体（１４）が有する構造と同じように（図２参照）、被覆部（３２ｂ）と基板部（３２ａ）が、滑り尺（３１）を摺動可能にする空洞部（図示せず）を有し、この空洞の上方側が開口されることによって孔部（３５ａ）が設けられている。
この孔部（３５ａ）の中心から所定間隔（Ｄ）を隔てて記号選出窓（３８）の中心が設けられており、この記号選出窓（３８）によって、滑り尺（３１）に記載される記号記載部（３６）の一の記号を露出することができる。尚、図９（ｂ）では、孔部（３５ａ）から左側に所定間隔（Ｄ）隔てて記号選出窓（３８）が設けられている。
この記号選出窓（３８）は、滑り尺（３１）の数だけ設けられ、且つ、基板体（３２）（基板部（３２ｂ））の短手方向に沿って並ぶとともに、複数の記号が継手品番を構成するように順番に配列されて設けられている。
上述した基板体（３２）に設けられる凹部（３９ｂ）は、この被覆部（３２ｂ）に設けられることになる。この凹部（３９ｂ）が被覆部（３２ｂ）に設けられることによって、確実に滑り尺（３１）をしまい込むことができるからである。
尚、第３実施例の治具（３）の所定条件記載部（３５）と記号記載部（３６）に記載される所定条件と記号は、所定条件が順方向に配列されたとすると記号は逆方向に配列されている。例えば、所定条件が（Ａ１、Ａ２、Ａ３、・・・、Ａｎ）と配列されていると、記号は（ａｎ、・・・、ａ３、ａ２、ａ１）と逆順序になって配列されることになる。
以上が、第３実施例の治具（３）の構成の説明である。
【００２４】
第３実施例の治具（３）の動作を説明する。
継手によって継手品番が構成する条件項目が異なるが、例えば、継手品番が、「材質」、「継手種類」、「ネジサイズ」と「ネジ規格」からなる４つの条件項目から選出される記号によって構成されているとする（図８参照）。
使用者は、条件項目毎に設けられる所定条件を所望する所定条件に合うように、滑り尺（３１）を摺動させ（図８では左右の方向に移動させ）、条件選出窓（３７）に所定条件を露出させ設定する。この時、記号選出窓（３８）には所定条件に応じた記号が表示されていることになる。
使用者によって、複数の滑り尺（３１）を摺動させて適宜所定条件が設定されると（尚、図８では４つの滑り尺を摺動させて所定条件を設定する）、記号が夫々に応じて記号選出窓（３８）から記号が表示されるとともに、この記号選出窓（３８）が継手品番を構成するように配置されているので、所定条件を設定すると同時に使用者の所望する継手品番を得ることができる。
【００２５】
第４実施例の継手品番選出治具（４）について説明する。
図１０は、第４実施例の治具の平面図であり、図１１は第４実施例の治具を示し、（ａ）は滑り尺の斜視図であり、（ｂ）は基板体の斜視図である。
第４実施例の治具（４）の滑り尺（４１）は、基板体（４２）の表面に沿って摺動する。又、図１０では、滑り尺（４１）が基板体（４２）の短手方向に沿って４つ並んで設けられている。この基板体（４２）に設けられる滑り尺（４１）の数は特に限定されず、継手品番を構成する記号の数によって決められる。例えば、図１０で示す如く、継手品番が、「材質」、「継手種類」、「ネジサイズ」と「ネジ規格」の４種類の条件項目から選出される記号から構成されていれば４つの滑り尺（４１）が設けられる。
この滑り尺（４１）は、基本的な構造は、第１実施例の治具（１）で示される滑り尺（１１）と同じであり、条件選出窓を有しておらず、複数の所定条件が摺動方向に沿って記載される所定条件記載部（４５）を有していることが異なっている。
この滑り尺（４１）は、図１１で示す如く、滑り尺（４１）の上側表面の左側に所定条件記載部（４５）が設けられ、右側に記号選出窓（４８）を有している。この所定条件記載部（４５）が右に設けられ、記号選出窓（４８）が左側に設けられても構わない。
この所定条件記載部（４５）と記号選出窓（４８）の間には、所定間隔（Ｄ）の隔たりがある。この所定間隔（Ｄ）の長さは、特に限定されず、適宜設定されればよいが、後述する基板体（４２）の条件設定窓（４７）と記号記載部（４６）との間に設けられる所定間隔（Ｄ）と同じにする必要がある。尚、この所定間隔（Ｄ）は、記号記載部（４６）の中心から条件設定窓（４７）の中心の距離であり、又、所定条件記載部（４５）の中心から記号選出窓（４８）の中心の距離である。
図１１（ａ）に於いて、この滑り尺（４１）の左端部には凸部（４９ａ）が設けられている。この凸部（４９ａ）は、後述する基板体（４２）の左端部（図１１（ｂ）参照）に設けられる凹部（４９ｂ）と係合する。凸部（４９ａ）及び凹部（４９ｂ）を設けることによって、滑り尺（４１）を摺動させるための把手の役割を担うことができ、更に、滑り尺（４１）を使用しない際に、基板体（４２）内に確実に収納することができる。尚、この凸部（４９ａ）は滑り尺（４１）の右端部に設けられても構わず、この場合、凹部（３９ｂ）は基板体（３２）の右端部に設けられれば構わない。又、この凸部（４９ａ）の形状は、特に限定されず、使用者が利用し易い形状を適宜決めれば構わない。
図１１で示される滑り尺（４１）の記号選出窓（４８）は、後述する被覆部（４２ｂ）と同じ厚みを有することが好ましい。記号選出窓（４８）が被覆部（４２ｂ）と同じ厚みを有することで、摺動方向に移動させても、基板体（４２）から外れ出ることを防止することができるからである。
【００２６】
第４実施例に於ける基板体（４２）は、基板部（４２ａ）と被覆部（４２ｂ）から構成される。基板部（４２ａ）は、複数の所定条件が滑り尺（４１）の摺動方向である基板部（４２ａ）の長手方向に沿って記載される記号記載部（４６）を有している。この滑り尺（４１）は基板部（４２ａ）上の記号記載部（４６）上を摺動することになる。
被覆部（４２ｂ）は、基板部（４２ａ）と同じ形状及び同じ大きさを有し、滑り尺（４１）を摺動可能に且つ基板部（４２ａ）から離れず保持するように、基板部（４２ａ）に当接して一体に設けられている。この被覆部（４２ｂ）は、基板部（４２ａ）に記載される記号記載部（４６）が表示されるように孔部（４６ａ）が設けられている。
この孔部（４６ａ）から所定間隔（Ｄ）を隔てて条件設定窓（４７）が設けられており、この条件設定窓（４７）によって、滑り尺（４１）に記載される所定条件記載部（４５）の一の所定条件を露出することができる。尚、図１１（ｂ）では、孔部（４６ａ）から左側に所定間隔（Ｄ）隔てて条件設定窓（４７）が設けられている。又、この条件選出窓（４７）は、滑り尺（４１）の数だけ設けられ、且つ、基板体（４２）（基板部（４２ｂ））の短手方向に沿って並ぶとともに、複数の記号が継手品番を構成するように順番に配列されて設けられている。
上述した基板体（４２）に設けられる凹部（４９ｂ）は、この被覆部（４２ｂ）に設けられることになる。この凹部（４９ｂ）が被覆部（４２ｂ）に設けられることによって、確実に滑り尺（４１）を基板体（４２）内に収納することができるからである。
尚、第４実施例の治具（４）では、第１実施例の治具（１）で示す滑り尺（１１）、基板体（１２）と被覆体（１４）が有する構造と同じように（図２参照）、被覆部（４２ｂ）と基板部（４２ａ）が、滑り尺（４１）を摺動可能にする空洞部（図示せず）を有し、この空洞の上方側が開口されることによって孔部（４６ａ）が設けられている。
尚、第４実施例の治具（４）の所定条件記載部（４５）と記号記載部（４６）に記載される所定条件と記号は、所定条件が順方向に配列されたとすると記号は逆方向に配列されている。例えば、所定条件が（Ａ１、Ａ２、Ａ３、・・・、Ａｎ）と配列されていると、記号は（ａｎ、・・・、ａ３、ａ２、ａ１）と逆順序になって配列される。
以上が、第４実施例の治具（４）の構成の説明である。
【００２７】
第４実施例の治具（４）の動作を説明する。
継手によって、継手品番が構成する記号が異なるが、例えば、継手品番が「材質」、「継手種類」、「ネジサイズ」と「ネジ規格」からなる４種類の条件項目から抽出される記号から構成されているとする。
使用者は、上記するそれぞれの所定条件に合うように、滑り尺（４１）を摺動させ（図１０では左右の方向に移動させ）、条件選出窓（４７）に所定条件を露出させる。この時、記号選出窓（４８）には所定条件に応じた記号が表示されていることになる。
使用者によって、複数の滑り尺（４１）を摺動させて適宜所定条件が設定されると（尚、図１０では４つの滑り尺を摺動させて所定条件を設定する）、記号が夫々に応じて記号選出窓（４８）から記号が表示されるとともに、この記号選出窓（４８）が継手品番を構成するように配置されているので、所定条件を設定すると同時に使用者の所望する継手品番を得ることができる。
以上が第４実施例の治具（４）の説明である。
【００２８】
第１実施例の治具（１）で説明した如く、第３実施例の治具（３）及び第４実施例の治具（４）で示されるような基板体が長方形の形状を有する際には、この基板体の端部に、図１で示すような所定の配管の外径と同じ直径の半円形状を有する複数の切欠き部（１７）が設けられても構わない。
更に、この切欠き部（１７）を複数の所定の厚さを有する部分で構成し、隙間ゲージとして利用することも可能であり、基板体の端縁に沿って長さを計測することが可能な定規を具備させても構わない。
【００２９】
第５実施例である継手品番選出装置（５）の構成を説明する。
図１２は第５実施例の継手品番選出装置の平面図であり、図１３は第５実施例の継手品番選出装置の機能を示すブロック線図である。
第５実施例の装置（５）は、半導体等を利用することによって、継手品番を構成する記号を情報データベースに保存し、この情報データベースより利用者の所望する継手の継手品番を適宜に出力する装置である。
第５実施例の装置（５）は、保存手段（５１）、入力手段（５２）、選択手段（５３）、表示手段（５４）から構成されている。尚、この第５実施例の装置（５）のサイズは、通常使用するクレジットカードやテレフォンカード等の大きさと略同じ程度の大きさが好ましい。この大きさに設けられることによって、使用者は携帯することができる。
この保存手段（５１）は、所定条件に対応する継手品番を格納する情報データベースである。保存手段（５１）は、不揮発性メモリ等の記憶装置が使用される。保存される情報は、例えば、所定条件Ａ１と記号ａ１が一対一で対応付けられて保存されている。
【００３０】
入力手段（５２）は、継手品番を選出するための所定条件を入力する。この入力手段（５２）は後述する選択手段（５３）へ送信する手段である。
この入力手段（５２）は、特に限定されないが、図１２で示される如く、ボタン式入力装置などによって、構成されていることが好ましい。ボタン式入力装置を使用することによって、容易に入力することができるからである。この入力手段（５２）を使用することで所定条件が入力され、例えば、所定条件が「Ａ１」であれば、「Ａ１」と入力すればよい。
【００３１】
入力手段（５２）から入力された所定条件は、選択手段（５３）へ送られる。
選択手段（５３）は、入力手段（５２）によって入力された所定条件に対応する継手品番を保存手段（５１）より選択する。この選択手段（５３）は、中央処理装置（CPU）が保存手段（５１）内に保存される情報から所定条件を検索し、この所定条件に対応する記号を選出するようにプログラムされていればよい。
表示手段（５４）は、選択手段（５３）によって選択された記号を画面上に表示する。この表示手段（５４）は、所定条件及び／又は記号を表示することのできる出力装置であればよく、図１２で示す如く、通常の小型電気計算機が有するような画面で構わない。
以上が第５実施例（５）の構成の説明である。
【００３２】
第５実施例の装置（５）の動作について説明する。
使用者は、この第５実施例の装置（５）の入力手段（５２）へ所定条件を入力する。この時、継手品番は、複数の記号から構成されているので、各所定条件を入力するようにしておく。
入力された所定条件は、選択手段（５３）によって、保存手段（５４）から所定条件に対応する記号が選出される。
選出された記号は表示手段（５４）によって、画面等に出力される。
この時、所定条件が複数存在する場合は、表示手段（５４）を実行させるボタン式の制御手段を設けて、全ての所定条件を入力した後に継手品番が表示されるように設ければ構わない。
【００３３】
本発明に係る第６実施例であるバルブ品番選出治具（６）の構成を図面を参照しつつ説明する。
図１４は、第６実施例であるバルブ品番選出治具を示す平面図である。
本明細書中の「バルブ品番」と言う文言は、バルブ製造業者等の当業者が継手に対して設定した継手を識別するための番号のことを指し示す。
又、「条件項目」と言う文言は、バルブ品番を設定するにあたって、当業者が設定した条件を指し示す。図３で示す継手品番と同様に、バルブ品番を構成するために、例えば、「材質」、「バルブの種類」、「継手」、「ネジタイプ」、「最高使用圧力」と「呼び径」の６項目の条件項目から構成されている（図１４参照）。この条件項目は、継手の用途や種類に応じて適宜設定されればよい。
本明細書中の「所定条件」と言う文言は、前記「条件項目」に於いて実際に使用者が選択する条件であり、この「所定条件」が複数集まって「条件項目」を構成している。例えば、「条件項目」として「材質」が選択されると、「所定条件」は「ステンレス」「黄銅」「アルミニウム」等が設けられる。
又、上記する「バルブ品番」は、複数の「記号」の組み合わせから構成されている。この「記号」は、ひらがな、カタカナ、アルファベット、数字等からなり、前記「所定条件」と一対一で対応している。例えば、「所定条件」を「黄銅」とすると、この「黄銅」と言う所定条件に対して、「記号」である「Ｐ」が選択される。尚、この「記号」に設定される記号は、「所定条件」に対して一対一に対応するように、使用者が適宜選択して設定すれば構わない。
尚、表２には、バルブ品番を設定するための、所定条件と記号の一実施例を示す。
【００３４】
【表２】
2005164550.tif 000004
【００３５】
第６実施例のバルブ品番選出治具（６）は、滑り尺（６１）と、基板体（６２）から構成され、夫々第１実施例の継手品番選出治具（１）の滑り尺（１１）と基板体（１２）と略同じ構成を有しており、第１実施例の治具（１）の所定条件記載部にバルブに関する所定条件が記載され、記号記載部にバルブに関する記号が記載されている点が異なっている。
尚、図１４で示す如く、第１実施例の治具（１）に設けられる切欠き部（１７）を有する部材（１８又は１９）を設けても構わない。
【００３６】
第２実施例乃至第４実施例に於いて、所定条件記載部及び記号記載部に夫々記載される継手に関する所定条件及び記号を、バルブに関する所定条件及び記号に置き換えることによって、継手バルブ品番を選出することのできるバルブ品番選出治具として利用することができる。
【００３７】
又、第５実施例の装置（５）に於いても、保存手段に、バルブ品番を選出するための所定条件に対応する継手品番を格納する情報データベースを設け、入力手段によってバルブ品番を選出するための所定条件を入力することができるように設定する。更に、選択手段によって、入力手段で入力された継手品番を選出するための所定条件に対応するバルブ品番が、保存手段内から選出されるように設定し、選出手段によって、選出されたバルブ品番が表示手段に表示されるように設定する。
このように、入力手段、保存手段、選出手段及び表示手段を変更することによって、バルブ品番選出装置として使用することができる。
以上が本発明に係る説明である。
【図面の簡単な説明】
【００３８】
【図１】第１実施例の継手品番選出治具の平面図である。
【図２】第１実施例を構成する滑り尺及び基板体の概略斜視図であり、（ａ）は滑り尺を示し、（ｂ）は基板体を示す。
【図３】継手品番と記号の関係を示す図である。
【図４】第１実施例を構成する滑り尺及び基板体の平面図であり、（ａ）は滑り尺を示し、（ｂ）は基板体を示す。
【図５】図５は、切欠き部を有する部材の他の実施例を示し、（ａ）は平面図であり、（ｂ）は図５（ａ）の右側から見た側面図である。
【図６】第２実施例の継手品番選出治具の平面図である。
【図７】第２実施例の継手品番選出治具に於いて滑り尺が取り除かれた場合を示す。
【図８】第３実施例の継手品番選出治具の平面図である。
【図９】第３実施例の治具を示し（ａ）は滑り尺の斜視図であり、（ｂ）は基板体の斜視図である。
【図１０】第４実施例の継手品番選出治具の平面図である。
【図１１】第４実施例の治具を示し（ａ）は滑り尺の斜視図であり、（ｂ）は基板体の斜視図である。
【図１２】第５実施例の継手品番選出装置の平面図である。
【図１３】第５実施例の装置の機能を示すブロック線図である。
【図１４】第６実施例のバルブ品番選出治具の平面図である。
【符号の説明】
【００３９】
１・・・・継手品番選出治具（第１実施例）
２・・・・継手品番選出治具（第２実施例）
３・・・・継手品番選出治具（第３実施例）
４・・・・継手品番選出治具（第４実施例）
５・・・・継手品番選出装置（第５実施例）
６・・・・バルブ品番選出治具（第６実施例）
１１，２１，３１，４１、６１・・・滑り尺
１１Ａ，２１Ａ，３７，４７・・条件設定窓
１１Ｂ，２１Ｂ，３８，４８・・記号選出窓
１２，２２，３２，４２、６２・・・基板体
１５，２５，３５，４５・・・所定条件記載部
１６，２６，３６，４６・・・記号記載部
１７・・・切欠き部
５１・・・保存手段
５２・・・入力手段
５３・・・選択手段
５４・・・表示手段
【図１】
2005164550.tif 000005
【図２】
2005164550.tif 000006
【図３】
2005164550.tif 000007
【図４】
2005164550.tif 000008
【図５】
2005164550.tif 000009
【図６】
2005164550.tif 000010
【図７】
2005164550.tif 000011
【図８】
2005164550.tif 000012
【図９】
2005164550.tif 000013
【図１０】
2005164550.tif 000014
【図１１】
2005164550.tif 000015
【図１２】
2005164550.tif 000016
【図１３】
2005164550.tif 000017
【図１４】
2005164550.tif 000018